(57)【特許請求の範囲】
【請求項１】
物体側から像側へ順に、ズーミングのためには移動しない正の屈折力の第１レンズ群と、ズーミングのために移動する第２レンズ群と、開口絞りと、第３レンズ群と、ズーミングのためには移動しない後レンズ群とからなるズームレンズであって、
前記第１レンズ群は、物体側から像側へ順に、フォーカシングのためには移動しない負の屈折力の第１１レンズ群と、フォーカシングのために移動する正の屈折力の第１２レンズ群と、正の屈折力の第１３レンズ群とからなり、
前記第２レンズ群は、サブレンズ群を含まず、または２つのサブレンズ群からなり、全体として負の屈折力を有し、
前記第３レンズ群は、サブレンズ群を含まず、または２つのサブレンズ群からなり、全体として正の屈折力を有し、該２つのサブレンズ群のうち物体側のサブレンズ群は正の屈折力を有し、
前記第２レンズ群は、ズーミングのために広角端から望遠端まで像側へ移動し、
前記第１レンズ群と、前記第２レンズ群と、前記第３レンズ群と、前記後レンズ群とは、隣り合う、レンズ群またはサブレンズ群とレンズ群またはサブレンズ群との間隔がいずれもズーミングのために変化し、
前記第１レンズ群の焦点距離をｆ１とし、広角端での前記ズームレンズの焦点距離をｆｗとし、望遠端での開放Ｆナンバーについての広角端および望遠端での前記開口絞りの開口径をそれぞれＳＰｗおよびＳＰｔとして、
０．５＜ｆ１／ｆｗ＜４．５
１．１＜ＳＰｔ／ＳＰｗ＜３．０
なる条件式を満足することを特徴とするズームレンズ。
【請求項２】
前記第２レンズ群の広角端での焦点距離をｆ２ｗとして、
−２．５＜ｆ１／ｆ２ｗ＜−０．５
なる条件式を満足することを特徴とする請求項１に記載のズームレンズ。
【請求項３】
前記第３レンズ群は、物体側から像側へ順に、正の屈折力の第３１レンズ群と、正の屈折力の第３２レンズ群とからなることを特徴とする請求項１または請求項２に記載のズームレンズ。
【請求項４】
前記絞りと前記後レンズ群との間隔は、ズーミングのためには変化しないことを特徴とする請求項１ないし請求項３のうちいずれか１項に記載のズームレンズ。
【請求項５】
前記後レンズ群の焦点距離をｆｎとして、
０．０＜｜ｆｗ／ｆｎ｜＜０．４
なる条件式を満足することを特徴とする請求項１ないし請求項４のうちいずれか１項に記載のズームレンズ。
【請求項６】
前記第１１レンズ群の焦点距離をｆ１１とし、前記第１３レンズ群の焦点距離をｆ１３として、
−２．０＜ｆ１１／ｆ１＜−０．３
−４．０＜ｆ１３／ｆ１１＜−０．５
なる条件式を満足することを特徴とする請求項１ないし請求項５のうちいずれか１項に記載のズームレンズ。
【請求項７】
前記第３１レンズ群の焦点距離をｆ３１とし、前記第３２レンズ群の焦点距離をｆ３２として、
０．２＜ｆ３１／ｆ３２＜３．０
なる条件式を満足することを特徴とする請求項３に記載のズームレンズ。
【請求項８】
前記後レンズ群のうちの一部のレンズ群を、光軸とは略直交する方向に移動することにより、像ぶれ補正をすることを特徴とする請求項１ないし請求項７のうちいずれか１項に記載のズームレンズ。
【請求項９】
請求項１ないし請求項８のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関するものである。
【背景技術】
【０００２】
近年、テレビカメラ、映画用カメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、ズームに際し不動の正の屈折力の第１群、主にズームを担う負の屈折力の第２群、第２群より像側のレンズ群の中でズームに際して少なくとも１群以上が移動する所謂ポジティブリード型のズームレンズが知られている。また、広画角、小型化のポジティブリード型ズームレンズとして、第１群の構成が、負の屈折力の第１ａ群、合焦時移動する正の屈折力の第１ｂ群、正の屈折力の第１ｃ群より成る所謂３群インナーフォーカス方式のズームレンズが知られている。（特許文献１、２）
【０００３】
特許文献１では、ズーム比８倍程度、広角端の撮影画角８７°程度であり、２群以降は、ズームに伴う像面変動補正用の第３群、ズームに際して移動しない絞りを有するズームレンズが開示されている。特許文献２では、ズーム比１１倍程度、広角端の撮影画角７６°程度であり、２群と以降の群の間に、ズームに際して移動する絞りを有するズームレンズが開示されている。
【先行技術文献】
【特許文献】
【０００４】
【特許文献１】特開平６−２４２３７８号公報
【特許文献２】特開２０１４−６３０２６号公報
【発明の概要】
【発明が解決しようとする課題】
【０００５】
前述した構成のポジティブリード型のズームレンズは、広画角化が比較的容易であるが、高い光学性能と小型化を両立するためには、レンズの屈折力配置を適切に設定することが重要である。特に最も物体側の第１群は軸外の光束が最も光軸から離れた位置を通過するため、光学性能と小型化を両立するためには、第１群の屈折力や構成を適切に設定することが重要となる。
【０００６】
特許文献１に開示されているズームレンズは、ズームを担う第２、３群の像側に絞りがあるため、ズームに際して絞り径が一定となり、機構制御が容易である。しかしながら、絞りが第１群と離れており、第１群のレンズ径の増大、またはレンズ枚数や非球面枚数の増大に繋がっている。特許文献２に開示されているズームレンズは、ズームに際して移動する絞りを第２群と第３群の間に配置しており、小型化に有利である。しかしながら、第１群の屈折力が小さいため、更なる広画角化をすると、大型化してしまう。また、主にズームを担っているのが第２群のみであるため、第１群の小型化と、高ズーム比を両立するためには、絞りの移動量が増大してしまう。
【０００７】
本発明は、例えば、広画角、高ズーム比、全ズーム範囲にわたる高い光学性能、および小型の点で有利なズームレンズの提供を目的とする。
【課題を解決するための手段】
【０００８】
本発明のズームレンズは、物体側から像側へ順に、ズーミングのためには移動しない正の屈折力の第１レンズ群と、ズーミングのために移動する第２レンズ群と、開口絞りと、第３レンズ群と、ズーミングのためには移動しない後レンズ群とからなり、前記第１レンズ群は、物体側から像側へ順に、フォーカシングのためには移動しない負の屈折力の第１１レンズ群と、フォーカシングのために移動する正の屈折力の第１２レンズ群と、正の屈折力の第１３レンズ群とからなり、前記第２レンズ群は、サブレンズ群を含まず、または２つのサブレンズ群からなり、全体として負の屈折力を有し、前記第３レンズ群は、サブレンズ群を含まず、または２つのサブレンズ群からなり、全体として正の屈折力を有し、該２つのサブレンズ群のうち物体側のサブレンズ群は正の屈折力を有し、前記第２レンズ群は、ズーミングのために広角端から望遠端まで像側へ移動し、前記第１レンズ群と、前記第２レンズ群と、前記第３レンズ群の前記１つまたは２つのサブレンズ群と、前記後レンズ群とは、隣り合うレンズ群またはサブレンズ群とレンズ群またはサブレンズ群との間隔がいずれもズーミングのために変化し、前記第１レンズ群の焦点距離をｆ１とし、広角端での前記ズームレンズの焦点距離をｆｗとし、望遠端での開放Ｆナンバーについての広角端および望遠端での前記開口絞りの開口径をそれぞれＳＰｗおよびＳＰｔとして、
０．５＜ｆ１／ｆｗ＜４．５
１．１＜ＳＰｔ／ＳＰｗ＜３．０
なる条件式を満足することを特徴としている。
【発明の効果】
【０００９】
本発明によれば、例えば、広画角、高ズーム比、全ズーム範囲にわたる高い光学性能、および小型の点で有利なズームレンズの提供ができる。
【図面の簡単な説明】
【００１０】
【図１】数値実施例１の広角端において無限遠物体に合焦したときのレンズ断面図
【図２】数値実施例１の（Ａ）広角端、（Ｂ）ズーム中間、（Ｃ）望遠端で無限遠物体に合焦したときの収差図
【図３】数値実施例２の広角端において無限遠物体に合焦したときのレンズ断面図
【図４】数値実施例２の（Ａ）広角端、（Ｂ）ズーム中間、（Ｃ）望遠端で無限遠物体に合焦したときの収差図
【図５】数値実施例３の広角端において無限遠物体に合焦したときのレンズ断面図
【図６】数値実施例３の（Ａ）広角端、（Ｂ）ズーム中間、（Ｃ）望遠端で無限遠合焦したときの収差図
【図７】数値実施例４の広角端において無限遠物体に合焦したときのレンズ断面図
【図８】数値実施例４の（Ａ）広角端、（Ｂ）ズーム中間、（Ｃ）望遠端で無限遠合焦したときの収差図
【図９】数値実施例５の広角端において無限遠物体に合焦したときのレンズ断面図
【図１０】数値実施例５の（Ａ）広角端、（Ｂ）ズーム中間、（Ｃ）望遠端で無限遠合焦したときの収差図
【図１１】数値実施例６の広角端において無限遠物体に合焦したときのレンズ断面図
【図１２】数値実施例６の（Ａ）広角端、（Ｂ）ズーム中間、（Ｃ）望遠端で無限遠合焦したときの収差図
【図１３】本発明の撮像装置の要部概略図
【発明を実施するための形態】
【００１１】
以下には、本発明の実施の形態を添付の図面に基づいて詳細に説明する。実施例１〜６に記載の本発明のズームレンズは、物体側から像側へ順に、ズーミングのためには移動しない正の屈折力の第１レンズ群を有する。更にズーミングの際に移動する負の屈折力の第２レンズ群、開口絞り、ズーミングの際に移動する正の屈折力の第３レンズ群を有し、最も像側にズーミングのためには移動しない正の屈折力の後レンズ群を有している。
【００１２】
第１レンズ群は、物体側から像側へ順に、フォーカシングのためには移動しない負の屈折力の第１１レンズ群、フォーカシングの際に移動する正の屈折力の第１２レンズ群、正の屈折力の第１３レンズ群から構成されている。実施例１〜３、５、６では、第１３レンズ群はフォーカシングのためには移動せず、実施例４では、フォーカシングの際に第１２レンズ群と連動して移動する。
【００１３】
第２レンズ群は、実施例１、２、４〜６では負の屈折力のレンズ群のみで構成され、実施例３では負の屈折力と正の屈折力の２つのレンズ群よりなり、全体として負の屈折力を持っている。
【００１４】
第３レンズ群は、実施例１、２、４〜６では正の屈折力の２つのレンズ群よりなり、全体として正の屈折力を持ち、実施例３では正の屈折力のレンズ群のみで構成されている。また、実施例２では、物体側のレンズ群はズーミングのためには移動しない。
【００１５】
開口絞りは、ズーミングに応じて開口径を変更することで、Ｆナンバーを保つことができ、実施例１〜５ではズーミングに応じて光軸方向に不動であり、実施例６ではズーミングに応じて光軸方向に移動する。
【００１６】
図１は本発明の実施例１（数値実施例１）のズームレンズの広角端（焦点距離、ｆ＝１７．００ｍｍ）で無限遠物体に合焦しているときのレンズ断面図である。図２は数値実施例１の（Ａ）広角端（焦点距離、ｆ＝１７．００ｍｍ）、（Ｂ）ズーム中間（焦点距離、ｆ＝３７．０３ｍｍ）、（Ｃ）望遠端（焦点距離、ｆ＝９０．００ｍｍ）における無限遠物体に合焦しているときの収差図である。但し、焦点距離は数値実施例の値をｍｍ単位で表したときの値である。これは以下の各実施例において全て同じである。
【００１７】
図３は本発明の実施例２（数値実施例２）のズームレンズの広角端（焦点距離、ｆ＝１０．００ｍｍ）で無限遠物体に合焦しているときのレンズ断面図である。図４は数値実施例２の（Ａ）広角端（焦点距離、ｆ＝１０．００ｍｍ）、（Ｂ）ズーム中間（焦点距離、ｆ＝１５．３３ｍｍ）、（Ｃ）望遠端（焦点距離、ｆ＝２５．００ｍｍ）における無限遠物体に合焦しているときの収差図である。
【００１８】
図５は本発明の実施例３（数値実施例３）のズームレンズの広角端（焦点距離、ｆ＝２０．００ｍｍ）で無限遠物体に合焦しているときのレンズ断面図である。図６は数値実施例３の（Ａ）広角端（焦点距離、ｆ＝２０．００ｍｍ）、（Ｂ）ズーム中間（焦点距離、ｆ＝４１．４８ｍｍ）、（Ｃ）望遠端（焦点距離、ｆ＝９０．００ｍｍ）における無限遠物体に合焦しているときの収差図である。
【００１９】
図７は本発明の実施例４（数値実施例４）のズームレンズの広角端（焦点距離、ｆ＝２４．００ｍｍ）で無限遠物体に合焦しているときのレンズ断面図である。図８は数値実施例４の（Ａ）広角端（焦点距離、ｆ＝２４．００ｍｍ）、（Ｂ）ズーム中間（焦点距離、ｆ＝５３．１４ｍｍ）、（Ｃ）望遠端（焦点距離、ｆ＝１２０．００ｍｍ）における無限遠物体に合焦しているときの収差図である。
【００２０】
図９は本発明の実施例５（数値実施例５）のズームレンズの広角端（焦点距離、ｆ＝１４ｍｍ）で無限遠物体に合焦しているときのレンズ断面図である。図１０は数値実施例５の（Ａ）広角端（焦点距離、ｆ＝２８．００ｍｍ）、（Ｂ）ズーム中間（焦点距離、ｆ＝４６．６６ｍｍ）、（Ｃ）望遠端（焦点距離、ｆ＝８４．００ｍｍ）における無限遠物体に合焦しているときの収差図である。
【００２１】
図１１は本発明の実施例６（数値実施例６）のズームレンズの広角端（焦点距離、ｆ＝１９ｍｍ）で無限遠物体に合焦しているときのレンズ断面図である。図１２は数値実施例６の（Ａ）広角端（焦点距離、ｆ＝１９．００ｍｍ）、（Ｂ）ズーム中間（焦点距離、ｆ＝３９．１７ｍｍ）、（Ｃ）望遠端（焦点距離、ｆ＝９０．００ｍｍ）における無限遠物体に合焦しているときの収差図である。
【００２２】
図１３は本発明の撮像装置の要部概略図である。
各レンズ断面図において、左方が被写体（物体）側（前方）で、右方が像側（後方）である。レンズ断面図において、Ｕ１はズーミングのためには移動しない正の屈折力の第１レンズ群（前玉レンズ群）である。図１、３、５、７において、Ｕ１ｂは第１レンズ群Ｕ１中のフォーカスレンズ群であり、無限遠物体から近距離物体へのフォーカスの際に像側へ移動する。Ｕ１ａ、Ｕ１ｃは第１レンズ群Ｕ１中のフォーカスのためには移動しない固定レンズ群である。図９において、Ｕ１ｂ、Ｕ１ｃは第１レンズ群Ｕ１中のフォーカスレンズ群であり、無限遠物体から近距離物体へのフォーカスの際に像側へ連動して移動する。Ｕ１ａは第１レンズ群Ｕ１中のフォーカスのためには移動しない固定レンズ群である。
【００２３】
図１、３、５、７、９、１１において、Ｕ２はズーミングの際に移動する負の屈折力の第２レンズ群であり、図３において、２つのレンズ群Ｕ２ａ、Ｕ２ｂから構成されている。
【００２４】
図１、３、５、７、９、１１において、Ｕ３はズーミングの際に移動する正の屈折力の第３レンズ群であり、図１、３、７、９、１１において、２つのレンズ群Ｕ３ａ、Ｕ３ｂから構成されている。
【００２５】
Ｕ２及びＵ３の２つのレンズ群でズーム系（変倍群）が構成されている。Ｕ４はズーミングのためには移動しない結像作用をする第４レンズ群（リレーレンズ群）である。
【００２６】
ＳＰは絞り（開口絞り）である。Ｉは撮像面であり、放送用テレビカメラ、映画用カメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００２７】
収差図において、球面収差における直線と二点鎖線と一点鎖線と破線は各々ｅ線、g線、Ｃ線、Ｆ線である。非点収差における破線と実線は各々メリディオナル像面，サジタル像面であり、倍率色収差における二点鎖線と一点鎖線と破線は各々g線、Ｃ線、Ｆ線である。ωは半画角、ＦｎｏはＦナンバーである。尚、以下の各実施例においてズーム用のレンズ群が最も短焦点側の配置となった場合を広角端、最も長焦点側の配置となった場合を望遠端という。
【００２８】
各実施例において、本発明のズームレンズは、物体側から像側へ順に、ズーミングのためには移動しない正の屈折力の第１レンズ群を有する。更にズーミングの際に移動する負の屈折力の第２レンズ群、開口絞り、ズーミングの際に移動する正の屈折力の第３レンズ群を有し、最も像側にズーミングのためには移動しない正の屈折力の後レンズ群を有している。第１レンズ群は、物体側から像側へ順に、フォーカシングのためには移動しない負の屈折力の第１１レンズ群、フォーカシングの際に移動する正の屈折力の第１２レンズ群、正の屈折力の第１３レンズ群から構成されている。
【００２９】
第１レンズ群の焦点距離をｆ１、広角端の焦点距離をｆｗ、望遠端の開放Ｆナンバーに対する広角端と望遠端での絞りの開口径を各々ＳＰｗ、ＳＰｔとする。
このとき、
０．５＜ｆ１／ｆｗ＜４．５            ・・・（１）
１．１＜ＳＰｔ／ＳＰｗ＜３．０        ・・・（２）
なる条件を満足している。
【００３０】
条件式（１）は、第１レンズ群の焦点距離と広角端の焦点距離の比を規定している。各実施例のズームレンズでは、第１レンズ群の焦点距離が、高い光学性能と小型化を両立するために重要な要素となっている。条件式（１）を満足することにより、広角端において第１レンズ群を通過する軸外の光束の高さを規定し、レンズの大型化を抑制しつつ、諸収差を良好に補正することが可能となる。
【００３１】
条件式（１）の上限が満たされないと、第１レンズ群の屈折力が小さくなり、第１レンズ群を通過する軸外の光束の高さが高くなることで、レンズが大型化してしまう。条件式（１）の下限が満たされないと、第１レンズ群の屈折力が大きくなり、特に望遠側における色収差及び諸収差の補正が困難となる。
【００３２】
条件式（２）は、望遠端の開放Ｆナンバーに対する広角端と望遠端での絞りの開口径の比を規定している。各実施例のズームレンズでは、絞りの開口径の比が第１レンズ群の大型化を抑制するために重要な要素となっている。条件式（２）を満足することにより、第２レンズ群だけでなく、第３レンズ群もズーム分担を担うこととなる。これにより第２レンズ群の移動量が減少し、開口絞りがより第１レンズ群に近づくことで、第１レンズ群を通過する軸外の光束の高さを低くすることが可能となる。
【００３３】
条件式（２）の上限が満たされないと、第２レンズ群のズーム分担が小さくなり過ぎるため、全長が増大してしまう。条件式（２）の下限が満たされないと、第３レンズ群のズーム分担が小さくなり過ぎるため、開口絞りが第１レンズ群から離れてしまい、第１レンズ群のレンズ径が増大してしまう。
【００３４】
更に好ましくは条件式（１）、（２）の数値範囲を次の如く設定するのが良い。
１．００＜ｆ１／ｆｗ＜４．００            ・・・（１ａ）
１．１０＜ＳＰｔ／ＳＰｗ＜２．００        ・・・（２ａ）
【００３５】
以上の各条件を満たすことにより、本発明の各実施例はズーム全域において収差補正が良好に補正された、小型、軽量なズームレンズを得ている。
【００３６】
各実施例において、更に好ましくは、第２レンズ群の広角端における焦点距離をｆ２ｗとしたとき、
−２．５＜ｆ１／ｆ２ｗ＜−０．５          ・・・（３）
なる条件を満足するのが良い。
【００３７】
条件式（３）は、第１レンズ群と、第２レンズ群の広角端における焦点距離の比を規定している。
条件式（３）の上限が満たされないと、第１レンズ群の焦点距離が相対的に短くなるため、諸収差の補正、特に望遠側における色収差の補正が困難となる。また、製造誤差が性能に与える影響が大きくなるため、製造バラツキによる性能低下が大きくなる。条件式（３）の下限が満たされないと、第１レンズ群の焦点距離が相対的に長くなるため、第１レンズ群のレンズ径が大きくなり、広角化が困難となる。
【００３８】
実施例１、２、４〜６において更に好ましくは、第３レンズ群は、物体側から順に正の屈折力の第３１レンズ群、正の屈折力の第３２レンズ群からなるのが良い。これにより、ズーム中間の諸収差の抑制、特に球面収差と像面湾曲のズーム変動の補正が容易となる。
【００３９】
実施例１〜５において更に好ましくは、後レンズ群と絞りの間隔はズーミングに際して変化しないのが良い。これにより、機構が複雑化することなく、制御が容易となる。
【００４０】
各実施例において更に好ましくは、後レンズ群の焦点距離をｆｎとしたとき、
０．０＜｜ｆｗ／ｆｎ｜＜０．４            ・・・（４）
なる条件を満足するのが良い。
【００４１】
条件式（４）は、後レンズ群と広角端の焦点距離の比を規定している。
条件式（４）の上限が満たされないと、後レンズ群の焦点距離が相対的に短くなるため、第３レンズ群の焦点距離を短くすることが困難となり、第３レンズ群の移動量が増大してしまう。
【００４２】
各実施例において更に好ましくは、第１１レンズ群の焦点距離をｆ１１、第１３レンズ群の焦点距離をｆ１３としたとき、
−２．０＜ｆ１１／ｆ１＜−０．３          ・・・（５）
−４．０＜ｆ１３／ｆ１１＜−０．５        ・・・（６）
なる条件を満足するのが良い。
【００４３】
条件式（５）は、第１レンズ群と第１１レンズ群の焦点距離の比を規定している。
条件式（５）の上限が満たされないと、第１１レンズ群の焦点距離が相対的に短くなるため、広角側のズームに伴う軸外諸収差の変動抑制、特に歪曲や像面湾曲の抑制が困難となる。条件式（５）の下限が満たされないと、第１１レンズ群の焦点距離が相対的に長くなるため、第１レンズ群のレンズ径が大きくなり広角化が困難となる。また、フォーカシング時の画界変化の抑制も困難となる。
【００４４】
条件式（６）は、第１１レンズ群と第１３レンズ群の焦点距離の比を規定している。
条件式（６）の上限が満たされないと、第１１レンズ群の焦点距離が相対的に長くなることで第１レンズ群の主点を像側に近付けることが困難となり、第１レンズ群のレンズ径が大きくなり広角化が困難となる。条件式（６）の下限が満たされないと、第１１レンズ群の焦点距離が相対的に短くなることで第１１レンズ群のレンズ枚数増加に繋がり、第１レンズ群のレンズ径が大きくなり広角化が困難となる。
【００４５】
実施例１、２、４〜６において更に好ましくは、第３１レンズ群の焦点距離をｆ３１、第３２レンズ群の焦点距離をｆ３２としたとき、
０．２＜ｆ３１／ｆ３２＜３．０            ・・・（７）
なる条件を満足するのが良い。
【００４６】
条件式（７）は、第３１レンズ群と第３２レンズ群の焦点距離の比を規定している。
条件式（７）の上限が満たされないと、第３１レンズ群の焦点距離が相対的に長くなるため、以降の群への軸上光束が高くなり、レンズ径の増大やレンズ枚数の増加に繋がる。条件式（７）の下限が満たされないと、第３２ンズ群の焦点距離が相対的に長くなるため、第３２レンズ群の移動量が増大し、レンズ全長が増大してしまう。
【００４７】
実施例１において更に好ましくは、後レンズ群の一部のレンズ群を、光軸と略直交する方向に移動させることで、像ぶれ補正をするのが良い。これにより、ズーミングの際に固定している群内に補正群を持たせることで、制御が容易となる。
【００４８】
更に好ましくは条件式（３）〜（７）の数値範囲を次の如く設定するのが良い。
−２．３５＜ｆ１／ｆ２ｗ＜−０．８０      ・・・（３ａ）
０．００＜｜ｆｗ／ｆｎ｜＜０．１６        ・・・（４ａ）
−１．６０＜ｆ１１／ｆ１＜−０．５０      ・・・（５ａ）
−３．００＜ｆ１３／ｆ１１＜−０．８０    ・・・（６ａ）
０．４０＜ｆ３１／ｆ３２＜２．５０        ・・・（７ａ）
【００４９】
次に各実施例のレンズ構成の特徴について説明する。
【００５０】
第１実施例において、第１レンズ群Ｕ１は第１レンズ面〜第１５レンズ面に対応する。第２レンズ群Ｕ２は第１６レンズ面〜第２２レンズ面に対応する。開口絞りは第２３面に対応する。第３レンズ群Ｕ３は第３１レンズ群Ｕ３１と第３２レンズ群Ｕ３２から構成されている。第３１レンズ群Ｕ３１は第２４レンズ面〜第２８レンズ面に対応し、第３２レンズ群Ｕ３２は第２９レンズ面〜第３２レンズ面に対応する。第４レンズ群Ｕ４（後レンズ群）は第３３レンズ面〜第４２レンズ面に対応し、第４１レンズ群Ｕ４１が第３３レンズ面〜第３７レンズ面に対応する。
【００５１】
広角端から望遠端へのズーミングに際して、第２レンズ群Ｕ２は像側へ直線的に移動するとき、第３１レンズ群Ｕ３１は物体側に凸の軌跡を描きながら略往復移動する。第３２レンズ群Ｕ３２は物体側に移動し、広角側よりも像側で移動量が増加する。
【００５２】
開口絞りはズーミングに際して開口径を変化させ、望遠端で最大となる。また、ズーミングに際して、光軸方向には不動である。
【００５３】
第４１レンズ群Ｕ４１は光軸と略垂直方向（光軸に垂直な成分を有する方向）に移動することで、像ぶれを補正する。
【００５４】
後述する表−１に示すように数値実施例１は条件式（１）〜（７）の何れの条件式も満足しており、５．２９倍の高ズーム比で広角端における撮影画角（画角）８４．９０°と広画角化を達成している。且つズーム全域において諸収差を良好に補正した高い光学性能を得ている。
【００５５】
第２実施例において、第１レンズ群Ｕ１は第１レンズ面〜第１６レンズ面に対応する。第２レンズ群Ｕ２は第１７レンズ面〜第２３レンズ面に対応する。開口絞りは第２４面に対応する。第３レンズ群Ｕ３は第３１レンズ群Ｕ３１と第３２レンズ群Ｕ３２から構成されている。第３１レンズ群Ｕ３１が第２５レンズ面〜第２６レンズ面に対応し、第３２レンズ群Ｕ３２が第２７レンズ面〜第３０レンズ面に対応する。第４レンズ群Ｕ４（後レンズ群）は第３１レンズ面〜第４１レンズ面に対応する。
【００５６】
広角端から望遠端へのズーミングに際して、第２レンズ群Ｕ２は像側へ直線的に移動するとき、第３１レンズ群Ｕ３１は不動である。第３２レンズ群Ｕ３２は物体側に移動し、広角側よりも像側で移動量が増加する。
【００５７】
開口絞りはズーミングに際して開口径を変化させ、望遠端で最大となる。また、ズーミングに際して、光軸方向には不動である。
【００５８】
後述する表−１に示すように数値実施例２は条件式（１）〜（７）の何れの条件式も満足しており、２．５０倍の高ズーム比で広角端における撮影画角（画角）１１４．５２°と広画角化を達成している。且つズーム全域において諸収差を良好に補正した高い光学性能を得ている。
【００５９】
第３実施例において、第１レンズ群Ｕ１は第１レンズ面〜第１５レンズ面に対応する。第２レンズ群Ｕ２は第２１レンズ群Ｕ２１が第１６レンズ面〜第１９レンズ面に対応し、第２２レンズ群Ｕ２２が第２０レンズ面〜第２３レンズ面に対応する。開口絞りは第２４面に対応する。第３レンズ群Ｕ３は第２５レンズ面〜第３０レンズ面に対応する。第４レンズ群Ｕ４（後レンズ群）は第３１レンズ面〜第３６レンズ面に対応する。
【００６０】
広角端から望遠端へのズーミングに際して、第２１レンズ群Ｕ２１は像側へ直線的に移動するとき、第２２レンズ群Ｕ２２は像側に広角側よりも像側で移動量が減るように移動する。
【００６１】
開口絞りはズーミングに際して開口径を変化させ、望遠端で最大となる。また、ズーミングに際して、光軸方向には不動である。
【００６２】
後述する表−１に示すように数値実施例３は条件式（１）〜（６）の何れの条件式も満足しており、４．５０倍の高ズーム比で広角端における撮影画角（画角）７５．７４°と広画角化を達成している。且つズーム全域において諸収差を良好に補正した高い光学性能を得ている。
【００６３】
第４実施例において、第１レンズ群Ｕ１は第１レンズ面〜第１５レンズ面に対応する。第２レンズ群Ｕ２は第２１レンズ群Ｕ２１が第１６レンズ面〜第２２レンズ面に対応する。開口絞りは第２３面に対応する。第３レンズ群Ｕ３は第３１レンズ群Ｕ３１と第３２レンズ群Ｕ３２から構成されている。第３１レンズ群Ｕ３１が第２４レンズ面〜第２５レンズ面に対応し、第３２レンズ群Ｕ３２が第２６レンズ面〜第３０レンズ面に対応する。第４レンズ群Ｕ４（後レンズ群）は第３１レンズ面〜第３５レンズ面に対応する。
【００６４】
広角端から望遠端へのズーミングに際して、第２レンズ群Ｕ２は像側へ直線的に移動するとき、第３１レンズ群Ｕ３１は略Ｓ字の軌跡を描きながら移動し、最初物体側に移動し、次に像側に移動したのち、最終的に物体側に移動する。
【００６５】
開口絞りはズーミングに際して開口径を変化させ、望遠端で最大となる。また、ズーミングに際して、光軸方向には不動である。
【００６６】
無限端から望遠端へのフォーカシングに際して、第１２レンズ群Ｕ１２は像側へ直線的に移動するとき、第１３レンズ群Ｕ１３は物体側へ直線的に移動する。
【００６７】
後述する表−１に示すように数値実施例４は条件式（１）〜（７）の何れの条件式も満足しており、５．００倍の高ズーム比で広角端における撮影画角（画角）６５．８８°と広画角化を達成している。且つズーム全域において諸収差を良好に補正した高い光学性能を得ている。
【００６８】
第５実施例において、第１レンズ群Ｕ１は第１レンズ面〜第１７レンズ面に対応する。第２レンズ群Ｕ２は第２１レンズ群Ｕ２１が第１８レンズ面〜第２４レンズ面に対応する。開口絞りは第２５面に対応する。第３レンズ群Ｕ３は第３１レンズ群Ｕ３１と第３２レンズ群Ｕ３２から構成されている。第３１レンズ群Ｕ３１が第２６レンズ面〜第３０レンズ面に対応し、第３２レンズ群Ｕ３２が第３１レンズ面〜第３４レンズ面に対応する。第４レンズ群Ｕ４（後レンズ群）は第３５レンズ面〜第４４レンズ面に対応する。
【００６９】
広角端から望遠端へのズーミングに際して、第２レンズ群Ｕ２は像側へ直線的に移動するとき、第３１レンズ群Ｕ３１は、最初像側に移動し、最終的に物体側に移動する。
【００７０】
開口絞りはズーミングに際して開口径を変化させ、望遠端で最大となる。また、ズーミングに際して、光軸方向には不動である。
【００７１】
後述する表−１に示すように数値実施例５は条件式（１）〜（７）の何れの条件式も満足しており、３．００倍の高ズーム比で広角端における撮影画角（画角）７５．３８°と広画角化を達成している。且つズーム全域において諸収差を良好に補正した高い光学性能を得ている。
【００７２】
第６実施例において、第１レンズ群Ｕ１は第１レンズ面〜第１５レンズ面に対応する。第２レンズ群Ｕ２は第２１レンズ群Ｕ２１が第１６レンズ面〜第２２レンズ面に対応する。開口絞りは第２３面に対応する。第３レンズ群Ｕ３は第３１レンズ群Ｕ３１と第３２レンズ群Ｕ３２から構成されている。第３１レンズ群Ｕ３１が第２４レンズ面〜第２５レンズ面に対応し、第３２レンズ群Ｕ３２が第２６レンズ面〜第３０レンズ面に対応する。第４レンズ群Ｕ４（後レンズ群）は第３１レンズ面〜第３８レンズ面に対応する。
【００７３】
開口絞りはズーミングに際して開口径を変化させ、望遠端で最大となる。また、ズーミングに際して、光軸方向に移動する。広角端から望遠端へのズーミングに際して、第２レンズ群Ｕ２は像側へ直線的に移動するとき、第３１レンズ群Ｕ３１は略S字の軌跡を描きながら移動し、最初物体側に移動し、次に像側に移動したのち、最終的に物体側に移動する。開口絞りは略逆S字の軌跡を描きながら移動し、最初像側に移動し、次に物体側に移動したのち、最終的に像側に移動する。
【００７４】
後述する表−１に示すように数値実施例５は条件式（１）〜（７）の何れの条件式も満足しており、４．７４倍の高ズーム比で広角端における撮影画角（画角）７８．６０°と広画角化を達成している。且つズーム全域において諸収差を良好に補正した高い光学性能を得ている。
【００７５】
以上のように各実施例によれば、各レンズ群の屈折力配置やズーム用の移動レンズ群の移動軌跡等を適切に規定している。これにより、高ズーム比化と広画角化を両立しつつ、諸収差を良好に補正したズームレンズを得ている。
【００７６】
図１３は実施例１〜６のズームレンズを撮影光学系として用いた撮像装置（テレビカメラシステム）の要部概略図である。図１３において１０１は実施例１〜６の何れかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、ズーム部ＬＺ、結像用の後レンズ群Ｒを有している。第１レンズ群Ｆはフォーカシングのために一部のレンズ群を移動するレンズ群Ｕ１１〜Ｕ１３が含まれている。
【００７７】
ズーム部ＬＺは実施例１〜６のズーミングのために光軸上を移動する第２レンズ群Ｕ２、第３レンズ群Ｕ３を含んでいる。最も像側の後レンズ群Ｒはズーミングのためには移動しない結像レンズ群である。ＳＰは開口絞りである。１１４、１１５は各々フォーカシング群、ズーム部ＬＺを光軸方向に駆動するヘリコイドやカム等の駆動機構である。
【００７８】
１１６〜１１８は駆動機構１１４、１１５および開口絞りＳＰを電動駆動するモータ（駆動手段）である。１１９〜１２１は、フォーカシング群やズーム部ＬＺの光軸上の位置や、開口絞りＳＰの開口径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【００７９】
また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００８０】
以上、本発明の好ましい実施例について説明したが、本発明はこれらの実施例に限定されないことはいうまでもなく、その要旨の範囲内で種々の変形及び変更が可能である。
【００８１】
以下に本発明の実施例１〜６に対する数値実施例１〜６を示す。各数値実施例において、ｉは物体側からの面の順序を示し、ｒｉは物体側より第ｉ番目の面の曲率半径、ｄｉは物体側より第ｉ番目の面と第ｉ＋１番目の面との間隔、ｎｄｉ，νｄｉは第ｉ番目の面と第ｉ+１番目の面との間の光学部材の屈折率とアッベ数である。非球面は面番号の横に＊印を付けている。各実施例と前述した条件式との対応を表１に示す。
【００８２】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６をそれぞれ非球面係数としたとき、次式で表している。また、「ｅ−Ｚ」は「×１０-Z」を意味する。
【数１】
0006549965.tif 000002
【００８３】
ズーミングの際に移動するレンズ群の移動量は、ズーミングの際に移動する最も物体側のレンズ群を広角端と望遠端を結ぶ直線で動かしたとき、下記の数式に従い移動する。また、ズーミングの際に移動する最も像側のレンズ群は、ズーミングに伴う像面変動補正用に移動する。
【００８４】
移動量はｊをレンズ群の番号とし、光軸方向への移動量をｆｊ（ｙ）、光の進行方向を正、ｙは広角端から望遠端までの移動量を１として示し、Ｂｊ１、Ｂｊ２、Ｂｊ３、Ｂｊ４、Ｂｊ５、Ｂｊ６をそれぞれ移動係数としたとき、次式で表している。
【数２】
0006549965.tif 000003
【００８５】
フォーカシングの際に２群以上のレンズが移動する所謂フローティングフォーカスのレンズ群の移動量は、フォーカシングの際に移動する最も物体側のレンズ群を無限端と至近端を結ぶ直線で動かしたとき、下記の数式に従い移動する。
【００８６】
移動量はｊをレンズ群の番号とし、光軸方向への移動量をｇｊ（ｙ）、光の進行方向を正、ｙは最も物体側のレンズの移動量を示し、Ｃｊを移動係数としたとき、次式で表している。
【数３】
0006549965.tif 000004
【００８７】
数値実施例１
単位 mm
面データ
面番号i      ri       di     ndi        vdi       有効径
1*        91.439    2.29   1.77250    49.6       60.19
2         30.650   16.18                         48.43
3        -90.113    1.70   1.77250    49.6       47.62
4         82.752    0.20                         46.59
5         59.860    4.88   1.85478    24.8       47.09
6        186.894    4.58                         46.76
7       -208.155    4.27   1.59522    67.7       46.65
8        -68.920    8.65                         46.76
9         78.112    1.40   1.85478    24.8       44.04
10         40.332    8.26   1.43875    94.9       42.63
11       -332.216    0.20                         42.53
12         83.842    4.17   1.49700    81.5       42.02
13       -746.759    0.20                         42.08
14         62.546    6.35   1.65160    58.5       42.47
15       -157.017  (可変)                         42.19
16       -183.698    0.90   1.81600    46.6       22.69
17         23.639    3.73                         21.29
18        -67.380    0.90   1.75500    52.3       21.42
19        165.971    0.20                         22.18
20         39.342    4.33   1.85478    24.8       23.43
21        -61.566    0.90   1.81600    46.6       23.54
22         60.666  (可変)                         23.77
23(絞り)    ∞     (可変)                         24.77
24        201.877    3.28   1.61800    63.3       25.53
25        -98.250    0.20                         26.01
26         49.409    5.53   1.65160    58.5       26.65
27        -41.463    1.20   1.74950    35.3       26.52
28        352.441  (可変)                         26.35
29         43.099    1.20   2.00069    25.5       26.28
30         34.211    0.75                         25.96
31         43.005    4.16   1.48749    70.2       26.06
32       -138.159  (可変)                         26.19
33       -327.586    1.20   2.00069    25.5       26.29
34        207.682    0.20                         26.40
35         41.219    3.69   1.92286    18.9       26.91
36      -2687.752    1.20   1.78470    26.3       26.63
37         32.044  (可変)                         25.75
38         69.333    3.40   1.53775    74.7       27.05
39       -126.138    0.20                         27.12
40         47.255    6.41   1.43875    94.9       27.02
41        -34.706    1.20   1.95375    32.3       26.66
42      -1068.251   34.42                         26.94
像面        ∞   
非球面データ
第1面
K =-1.81302e+000  A 4= 8.42998e-007  A 6= 4.16656e-010  A 8=-2.88945e-013  
ズーム移動量データ
B21=32.14740
B311= 7.05092  B312=-5.98070  B313=35.14777  B314=-39.19330  B315= 3.90115
B316=-9.37366
各種データ
ズーム比     5.29 
広角     中間     望遠
焦点距離      17.00    37.03    90.00  
Fナンバー      4.00     4.00     4.00  
半画角        42.45    22.78     9.80  
像高          15.55    15.55    15.55  
レンズ全長   235.17   235.17   235.17  
BF            34.42    34.42    34.42  
d15            1.11    23.61    33.26  
d22           35.41    12.90     3.26  
d23            9.63    13.84     1.19  
d28           38.86    18.64     1.19  
d32            2.00    18.01    48.11  
d37            5.66     5.66     5.66  
入射瞳位置    34.55    49.40    57.97  
射出瞳位置  -121.13   -97.40   -68.58  
前側主点位置  49.70    76.02    69.34  
後側主点位置  17.42    -2.61   -55.58  
ズームレンズ群データ
群  始面    焦点距離  レンズ構成長  前側主点位置  後側主点位置
1    1      42.01        63.31        45.63         31.62
2   16     -20.89        10.96         1.61         -5.75
3   23       ∞           0.00         0.00          0.00
4   24      54.55        10.21         0.88         -5.30
5   29     110.63         6.12         1.40         -2.80
6   33    -111.01         6.29         7.45          3.85
7   38     116.30        11.21        -7.25        -13.76
単レンズデータ
レンズ  始面  焦点距離
1       1    -60.39
2       3    -55.34
3       5    100.27
4       7    170.54
5       9    -98.33
6      10     82.33
7      12    151.48
8      14     69.16
9      16    -25.49
10      18    -63.08
11      20     28.38
12      21    -37.13
13      24    106.98
14      26     35.31
15      27    -49.10
16      29   -176.20
17      31     67.56
18      33   -125.71
19      35     43.48
20      36    -39.99
21      38     83.44
22      40     46.60
23      41    -37.36
【００８８】
数値実施例２
単位 mm
面データ
面番号i      ri       di     ndi        vdi      有効径
1*       113.875    2.35   1.77250    49.6       68.89
2         22.905   16.18                         44.85
3         64.613    1.90   1.58313    59.4       43.30
4*        19.323    9.47                         36.67
5        147.352    1.90   1.69680    55.5       36.41
6         37.841    5.03                         35.06
7         51.441    1.90   1.59522    67.7       36.19
8         28.629    8.53   1.67270    32.1       35.66
9       -250.401    1.18                         35.36
10         80.712    5.39   1.62041    60.3       34.36
11       -199.467    4.62                         33.68
12        605.988    1.50   1.85478    24.8       30.85
13         26.482    5.16   1.49700    81.5       29.19
14        142.077    0.20                         29.10
15         51.952    7.04   1.76385    48.5       29.13
16        -51.034  (可変)                         28.42
17        410.168    1.00   1.88300    40.8       19.90
18         19.460    3.25                         17.89
19       -103.953    1.00   1.77250    49.6       17.64
20         86.083    1.00                         17.43
21         37.125    1.00   1.49700    81.5       17.34
22         31.520    2.48   1.85478    24.8       17.12
23        445.525  (可変)                         17.04
24(絞り)    ∞     (可変)                         17.56
25         86.927    2.50   1.69680    55.5       18.08
26       -754.927  (可変)                         18.23
27         27.820    1.15   1.95375    32.3       18.51
28         17.290    0.16                         17.92
29         17.185    5.31   1.48749    70.2       18.07
30        -35.180  (可変)                         18.05
31        -39.396    1.15   1.88300    40.8       14.74
32         31.057    5.12   1.84666    23.8       15.55
33        -58.946   14.36                         16.62
34         51.155    4.96   1.48749    70.2       21.72
35        -47.333    0.20                         21.88
36       -149.890    1.30   1.95375    32.3       21.72
37         19.099    6.12   1.49700    81.5       21.73
38       -276.992    6.54                         22.92
39        130.257   10.23   1.49700    81.5       28.16
40        -20.271    2.00   2.00100    29.1       29.33
41*       -25.872   40.83                         31.47
像面        ∞   
非球面データ
第1面
K =-5.20252e+000  A 4= 6.93162e-006  A 6=-3.48364e-009  A 8= 1.15224e-012  
第4面
K =-8.92189e-001  A 4= 9.47333e-006  A 6= 1.43616e-008  A 8=-6.89888e-011  
第41面
K = 2.65127e-001  A 4= 2.18668e-006  A 6=-9.56049e-010  A 8= 4.40037e-012  
ズーム移動量データ
B21=25.00761
各種データ
ズーム比     2.50 
広角     中間     望遠
焦点距離      10.00    15.33    25.00  
Fナンバー      4.00     4.00     4.00  
半画角        57.26    45.41    31.88  
像高          15.55    15.55    15.55  
レンズ全長   225.41   225.41   225.41  
BF            40.83    40.83    40.83  
d16            1.00    13.50    26.01  
d23           26.97    14.47     1.96  
d24            1.41     1.41     1.41  
d26           10.70     6.04     0.96  
d30            1.30     5.96    11.04  
入射瞳位置    22.76    24.31    25.90  
射出瞳位置  -568.68  -402.70  -338.24  
前側主点位置  32.59    39.11    49.26  
後側主点位置  30.83    25.50    15.83  
ズームレンズ群データ
群  始面    焦点距離  レンズ構成長  前側主点位置  後側主点位置
1    1      28.14        72.36        40.18         61.81
2   17     -29.53         9.74        -1.15         -8.99
3   24       ∞           0.00         0.00          0.00
4   25     111.53         2.50         0.15         -1.32
5   27      46.87         6.62         2.31         -2.15
6   31     107.20        51.97        63.92         54.79
単レンズデータ
レンズ  始面  焦点距離
1       1    -37.36
2       3    -47.83
3       5    -73.28
4       7   -111.56
5       8     38.39
6      10     92.94
7      12    -32.13
8      13     64.34
9      15     34.57
10      17    -23.03
11      19    -60.53
12      21   -445.24
13      22     39.20
14      25    111.53
15      27    -50.23
16      29     24.42
17      31    -19.40
18      32     24.43
19      34     51.11
20      36    -17.57
21      37     36.09
22      39     36.01
23      40   -113.06
【００８９】
数値実施例３
単位 mm
面データ
面番号i      ri       di     ndi        vdi      有効径
1*       544.299    2.29   1.77250    49.6       59.30
2         35.949   12.82                         49.34
3       -152.379    1.70   1.77250    49.6       48.98
4        120.185    4.67                         48.70
5         80.809    6.08   1.85478    24.8       50.20
6        633.791    2.13                         49.76
7       1958.254    4.91   1.59522    67.7       49.30
8       -103.745    6.99                         48.99
9         74.959    1.40   1.85478    24.8       43.01
10         41.796    6.07   1.43875    94.9       41.35
11        236.976    0.20                         40.97
12        125.483    3.90   1.49700    81.5       40.68
13       -394.106    0.20                         40.15
14        114.712    4.60   1.61800    63.3       40.38
15       -127.327  (可変)                         40.28
16         70.879    1.00   2.00100    29.1       28.57
17         30.534    4.85                         26.38
18        -57.309    1.00   1.77250    49.6       26.12
19        607.121  (可変)                         25.63
20         49.995    3.93   1.84666    23.8       26.61
21       -121.295    1.71                         26.63
22        -40.499    1.00   1.53775    74.7       26.59
23         87.213  (可変)                         27.16
24(絞り)    ∞     (可変)                         27.55
25*        22.807    7.95   1.58313    59.4       30.08
26        515.865    0.51                         29.19
27         38.921    1.40   1.85478    24.8       27.91
28         21.385    2.78                         26.01
29         40.404    6.61   1.49700    81.5       26.10
30*       -55.364  (可変)                         25.72
31       -113.452    2.91   1.95906    17.5       21.38
32        -29.525    1.20   1.78470    26.3       21.46
33         71.198   25.03                         21.40
34         61.019    6.63   1.43875    94.9       27.00
35        -28.400    1.20   1.95375    32.3       27.02
36        -57.452   36.18                         27.85
像面        ∞   
非球面データ
第1面
K = 2.26655e+002  A 4= 6.51448e-007  A 6= 2.01585e-010  A 8=-2.85328e-013  
第25面
K =-5.16576e-001  A 4=-1.73067e-006  A 6= 6.40073e-010  A 8=-1.96130e-012  
第30面
K =-7.75634e+000  A 4=-1.11555e-006  A 6= 2.74222e-009  A 8=-1.53130e-011  
ズーム移動量データ
B211=42.02030
B221=37.24116 B222=-2.04049 B223=-4.01169 B224=14.79864 B225=-5.83867
B226=-2.58458
各種データ
ズーム比     4.50 
広角     中間     望遠
焦点距離      20.00    41.48    90.00  
Fナンバー      4.00     4.00     4.00  
半画角        37.87    20.55     9.80  
像高          15.55    15.55    15.55  
レンズ全長   235.06   235.06   235.06  
BF            36.18    36.18    36.18  
d15            1.11    26.32    43.13  
d19            6.42     3.30     1.97  
d23           39.64    17.55     2.08  
d24           20.85    13.58     1.41  
d30            3.19    10.47    22.64  
入射瞳位置    34.98    48.48    58.05  
射出瞳位置  -113.13   -92.35   -80.89  
前側主点位置  52.30    76.58    78.85  
後側主点位置  16.18    -5.31   -53.83  
ズームレンズ群データ
群  始面    焦点距離  レンズ構成長  前側主点位置  後側主点位置
1    1      68.70        57.96        53.47         50.29
2   16     -28.86         6.85         2.82         -2.94
3   20     168.35         6.64       -10.67        -14.25
4   24       ∞           0.00         0.00          0.00
5   25      37.59        19.25         4.01        -10.98
6   31    -171.96        36.97       -25.33        -67.41
単レンズデータ
レンズ  始面  焦点距離
1       1    -49.69
2       3    -86.33
3       5    106.79
4       7    165.09
5       9   -111.66
6      10    114.28
7      12    191.42
8      14     97.99
9      16    -53.83
10      18    -67.42
11      20     41.85
12      22    -51.13
13      25     40.52
14      27    -57.12
15      29     47.96
16      31     40.38
17      32    -26.22
18      34     45.08
19      35    -59.67
【００９０】
数値実施例４
単位 mm
面データ
面番号i      ri       di     ndi        vdi      有効径
1        151.182    2.85   1.77250    49.6       51.61
2         37.054   11.23                         44.62
3       -108.262    2.38   1.77250    49.6       43.97
4        306.424    5.44                         43.69
5         79.631    4.06   1.85478    24.8       43.84
6        428.229    1.27                         43.46
7        213.865    4.94   1.59522    67.7       42.77
8       -119.863    8.00                         42.14
9        144.587    1.90   1.85478    24.8       35.38
10         42.296    4.59   1.49700    81.5       33.61
11        170.717    0.47                         33.21
12         78.853    4.98   1.59522    67.7       32.91
13       -101.573    0.19                         32.36
14         46.628    3.84   1.58913    61.1       31.64
15        174.884  (可変)                         30.99
16*         ∞       1.33   1.88300    40.8       21.46
17         25.235    2.74                         19.23
18        232.123    1.14   1.53775    74.7       18.62
19         24.583    3.03   1.85478    24.8       18.89
20        131.571    4.19                         18.80
21        -33.021    1.14   1.53775    74.7       18.83
22        172.990  (可変)                         19.42
23(絞り)    ∞     (可変)                         20.01
24         48.026    3.01   1.58313    59.4       21.00
25*      1306.064  (可変)                         21.14
26         46.277    3.67   1.49700    81.5       21.81
27       -154.226    0.19                         22.01
28         69.084    1.57   1.88300    40.8       22.13
29         26.494    4.70   1.49700    81.5       21.80
30        -93.642  (可変)                         21.97
31         44.710    1.57   1.48749    70.2       22.24
32         26.789   10.58                         21.86
33        133.694    4.86   1.43875    94.9       23.78
34        -31.673    1.78   1.88300    40.8       23.97
35        -59.962   50.01                         24.72
像面        ∞   
非球面データ
第16面
K =-2.37744e+009  A 4= 2.06174e-006  A 6=-1.42423e-009  A 8=-4.74999e-012  
第25面
K = 0.00000e+000  A 4= 4.59584e-006  A 6= 2.07147e-010  A 8=-1.15848e-012  
ズーム移動量データ
B21=23.66823
B311=-4.76378 B312=24.32548 B313=15.97729 B314=-99.12101 B315=68.59309
B316=-14.78897
フォーカス移動量データ
U12の移動量  5.16022
C13=-0.77175
各種データ
ズーム比     5.00 
広角     中間     望遠
焦点距離      24.00    53.14   120.00  
Fナンバー      5.60     5.60     5.60  
半画角        32.94    16.31     7.38  
像高          15.55    15.55    15.55  
レンズ全長   220.06   220.06   220.06  
BF            50.01    50.01    50.01  
d15            1.33    17.90    25.00  
d22           25.43     8.86     1.76  
d23           11.12    11.17     1.34  
d25           22.55    12.90     0.98  
d30            7.97    17.56    39.31  
入射瞳位置    39.31    55.29    63.23  
射出瞳位置  -122.49   -90.25   -66.14  
前側主点位置  59.97    88.30    59.26  
後側主点位置  26.01    -3.14   -69.99  
ズームレンズ群データ
群  始面    焦点距離  レンズ構成長  前側主点位置  後側主点位置
1    1      46.00        56.15        41.35         19.58
2   16     -20.00        13.57         3.92         -5.81
3   23       ∞           0.00         0.00          0.00
4   24      85.09         3.01        -0.07         -1.97
5   26      57.85        10.13         1.53         -5.21
6   31    -379.11        18.79       -17.55        -35.46
単レンズデータ
レンズ  始面  焦点距離
1       1    -63.93
2       3   -102.81
3       5    112.75
4       7    129.31
5       9    -69.88
6      10    111.47
7      12     75.09
8      14    106.32
9      16    -28.41
10      18    -51.07
11      19     34.58
12      21    -51.30
13      24     85.09
14      26     71.85
15      28    -49.24
16      29     41.98
17      31   -140.69
18      33     58.74
19      34    -77.89
【００９１】
数値実施例５
単位 mm
面データ
面番号i      ri       di     ndi        vdi      有効径
1*        65.303    1.70   1.80100    35.0       49.05
2         24.818   11.07                         40.26
3        827.587    1.20   1.80100    35.0       39.75
4         66.619    5.75                         38.61
5        -70.568    1.20   1.61800    63.3       38.60
6        991.530    0.20                         39.35
7         82.201    4.68   2.00069    25.5       40.16
8       -326.872    1.15                         40.02
9        110.763    3.48   1.59522    67.7       39.10
10*      -429.302    9.59                         38.69
11         64.145    1.00   1.85478    24.8       34.03
12         33.449    6.07   1.43875    94.9       33.58
13        251.523    0.20                         34.00
14         79.048    5.59   1.49700    81.5       34.54
15       -177.233    0.20                         34.76
16        153.550    4.76   1.72916    54.7       34.80
17        -78.097  (可変)                         34.65
18       -270.879    0.80   1.88300    40.8       23.31
19         30.151    4.21                         22.59
20        -69.579    0.80   1.65160    58.5       22.92
21        268.975    1.59                         23.55
22         48.249    4.62   1.85478    24.8       25.38
23        -89.785    0.80   1.77250    49.6       25.47
24         64.341  (可変)                         25.57
25(絞り)    ∞     (可変)                         26.46
26*        37.838    4.39   1.58313    59.4       28.00
27       -293.530    0.20                         27.95
28         92.127    2.62   1.65160    58.5       27.77
29      -1462.645    1.00   1.74950    35.3       27.49
30         77.003  (可変)                         27.09
31         54.510    1.00   2.00069    25.5       26.90
32         39.212    1.00                         26.45
33         58.977    4.08   1.48749    70.2       26.49
34        -82.461  (可変)                         26.43
35         80.352    3.32   1.95906    17.5       27.34
36       -207.144    1.83                         27.20
37       -138.477    1.00   1.85478    24.8       26.73
38         45.409    1.30                         26.50
39         58.043    5.70   1.59522    67.7       26.89
40        -45.171    1.60   1.72047    34.7       27.06
41     -14897.747   10.72                         27.50
42       -634.337    5.75   1.43875    94.9       29.68
43        -32.789    1.00   2.00100    29.1       30.04
44        -57.248   51.00                         31.03
像面        ∞   
非球面データ
第1面
K =-2.55264e-001  A 4= 1.52446e-006  A 6= 3.70002e-010  A 8=-1.76324e-013  
第10面
K =-3.63095e+001  A 4= 1.61251e-006  A 6=-4.24700e-010  A 8=-9.14016e-013  
第26面
K = 5.35918e-001  A 4=-4.47817e-006  A 6=-1.20201e-009  A 8=-2.26122e-012  
ズーム移動量データ
B21=19.58464
B311= 3.72449 B312=-17.34816 B313=15.38325 B314=-24.42959 B315=14.48850
B316=-6.24911
各種データ
ズーム比     3.00 
広角     中間     望遠
焦点距離      28.00    46.66    84.00  
Fナンバー      4.00     4.50     4.50  
半画角        37.69    24.87    14.44  
像高          21.63    21.63    21.63  
レンズ全長   235.02   235.02   235.02  
BF            51.00    51.00    51.00  
d17            0.98    12.73    20.57  
d24           23.17    11.42     3.59  
d25           14.84    11.82     1.41  
d30           25.05    15.18     4.43  
d34            2.80    15.69    36.85  
入射瞳位置    31.32    37.27    41.66  
射出瞳位置  -100.85   -84.93   -72.71  
前側主点位置  54.15    67.91    68.62  
後側主点位置  23.00     4.35   -33.00  
ズームレンズ群データ
群  始面    焦点距離  レンズ構成長  前側主点位置  後側主点位置
1    1      38.68        57.84        40.83         29.07
2   18     -25.82        12.83         1.38         -7.87
3   25       ∞           0.00         0.00         -0.00
4   26      65.55         8.21        -1.53         -6.44
5   31     139.23         6.07         3.47         -0.80
6   35   -4432.96        32.23       242.63        204.86
単レンズデータ
レンズ  始面  焦点距離
1       1    -50.59
2       3    -89.91
3       5   -106.16
4       7     65.41
5       9    147.76
6      11    -82.25
7      12     86.97
8      14    110.47
9      16     71.31
10      18    -30.51
11      20    -84.41
12      22     36.94
13      23    -48.18
14      26     57.53
15      28    132.56
16      29    -96.92
17      31   -143.05
18      33     70.97
19      35     59.91
20      37    -39.53
21      39     43.42
22      40    -62.46
23      42     78.38
24      43    -77.65
【００９２】
数値実施例６
単位 mm
面データ
面番号i      ri       di     ndi        vdi      有効径
1*        97.792    2.70   1.77250    49.6       53.27
2         29.474   15.34                         43.47
3        -56.318    1.98   1.77250    49.6       42.47
4        256.814    1.68                         42.77
5         75.034    2.96   1.89286    20.4       43.60
6        121.200    2.03                         43.30
7        134.312    7.69   1.62041    60.3       43.27
8        -76.682    0.20                         42.88
9        109.133    1.89   1.85478    24.8       39.65
10         40.897    6.51   1.49700    81.5       37.59
11       1047.450    3.57                         38.11
12        115.553    5.76   1.59522    67.7       40.10
13        -97.158    0.18                         40.30
14         57.813    4.39   1.76385    48.5       39.78
15        272.396  (可変)                         39.22
16*       126.593    1.26   1.88300    40.8       24.15
17         25.583    4.21                         22.23
18        -89.927    1.08   1.59522    67.7       22.37
19         30.964    4.01   1.85478    24.8       23.12
20       -241.861    2.97                         23.18
21        -38.064    1.08   1.76385    48.5       23.17
22       -424.205  (可変)                         23.91
23(絞り)    ∞     (可変)                         24.76
24         37.406    3.24   1.59522    67.7       26.48
25*        97.863  (可変)                         26.43
26         86.583    4.63   1.49700    81.5       27.37
27        -61.314    0.18                         27.42
28         74.947    1.49   2.00100    29.1       26.85
29         37.523    4.89   1.49700    81.5       26.12
30       -147.368  (可変)                         25.89
31         37.376    2.81   1.95906    17.5       25.89
32         88.563    1.49   2.00069    25.5       25.39
33         33.580    5.36                         24.37
34        459.108    3.75   1.48749    70.2       24.55
35        -45.965    0.18                         24.60
36        132.563    5.48   1.49700    81.5       24.00
37        -25.588    1.68   1.95375    32.3       23.54
38       1781.582   43.52                         23.90
像面        ∞   
非球面データ
第1面
K = 5.58587e+000  A 4= 6.89166e-008  A 6= 1.67536e-010  A 8=-7.81810e-013  
第16面
K = 0.00000e+000  A 4= 1.99972e-007  A 6=-1.99181e-009  A 8= 6.32825e-013  
第25面
K = 0.00000e+000  A 4= 6.56253e-006  A 6=-6.81552e-011  A 8= 2.40306e-012  
ズーム移動量データ
B21=28.55285
Bsp1=10.44733 Bsp2=-18.81152 Bsp3=-7.30782 Bsp4= 4.06481 Bsp5=11.94457
Bsp6=-9.34884E-006
B311=-0.95657 B312=21.01994 B313=17.62048 B314=-93.71109 B315=62.61010
B316=-14.01060
各種データ
ズーム比     4.74 
広角     中間     望遠
焦点距離      19.00    39.17    90.00  
Fナンバー      4.00     4.00     4.00  
半画角        39.30    21.65     9.80  
像高          15.55    15.55    15.55  
レンズ全長   220.02   220.02   220.02  
BF            43.52    43.52    43.52  
d15            0.98    19.54    29.53  
d22           29.98    10.37     1.77  
d23            9.24    12.87     1.48  
d25           25.72    14.74     4.71  
d30            3.90    12.31    32.34  
入射瞳位置    33.55    45.40    53.68  
射出瞳位置   -79.89   -65.37   -44.34  
前側主点位置  49.63    70.48    51.48  
後側主点位置  24.52     4.35   -46.48  
ズームレンズ群データ
群  始面    焦点距離  レンズ構成長  前側主点位置  後側主点位置
1    1      45.00        56.89        42.94         30.86
2   16     -22.80        14.60         4.00         -6.37
3   23       ∞           0.00         0.00         -0.00
4   24      99.38         3.24        -1.23         -3.22
5   26      58.95        11.20         2.33         -5.04
6   31    -245.97        20.75        40.56         21.94
単レンズデータ
レンズ  始面  焦点距離
1       1    -55.31
2       3    -59.34
3       5    211.66
4       7     79.48
5       9    -76.79
6      10     85.20
7      12     89.27
8      14     94.77
9      16    -36.31
10      18    -38.43
11      19     32.03
12      21    -54.54
13      24     99.38
14      26     72.77
15      28    -75.99
16      29     60.53
17      31     64.79
18      32    -54.29
19      34     85.63
20      36     43.53
21      37    -26.25
【００９３】
【表１】
0006549965.tif 000005
【符号の説明】
【００９４】
Ｕ１：第１レンズ群
Ｕ２：第２レンズ群
ＳＰ：開口絞り
Ｕ３：第３レンズ群
Ｕ４：後レンズ群
Ｕ１１：第１１レンズ群
Ｕ１２：第１２レンズ群
Ｕ１３：第１３レンズ群
【図１】
0006549965.tif 000006
【図２】
0006549965.tif 000007
【図３】
0006549965.tif 000008
【図４】
0006549965.tif 000009
【図５】
0006549965.tif 000010
【図６】
0006549965.tif 000011
【図７】
0006549965.tif 000012
【図８】
0006549965.tif 000013
【図９】
0006549965.tif 000014
【図１０】
0006549965.tif 000015
【図１１】
0006549965.tif 000016
【図１２】
0006549965.tif 000017
【図１３】
0006549965.tif 000018